(57)【特許請求の範囲】
【請求項１】
フロアパネル部分と、このフロアパネル部分上に位置し、運転席シートを支えるシートベースとを備えた建設機械の電装品収納装置において、
前記シートベースは、前記運転席シートを支える水平パネル部分と、この水平パネル部分の下側に位置する垂直パネル部分及び左右のサイドパネル部分とを有し、
前記シートベースは、前記水平パネル部分の下側に、上下、左右、及び背面をそれぞれ前記水平パネル部分、前記フロアパネル部分、前記左右のサイドパネル部分、及び前記垂直パネル部分で取り囲まれるとともに、正面側に前面開口部を有する収納スペースを形成しており、
前記収納スペースに電装品組立体を配置し、
前記電装品組立体は、正面プレート及びサイドプレートを有する取り付けブラケットと、この取り付けブラケットの正面プレートの正面側と裏面側に取り付けた各種の電装品とで構成され、
かつ前記電装品組立体は、前記各種電装品を取り付けた正面プレートの裏面側が前記垂直パネル部分に対向して、縦型に配置されるように、前記サイドプレートを前記垂直パネル部分に固定することにより、前記シートベースに取り付けられており、
前記収納スペースの前面開口部に開閉カバーを設け、
前記電装品組立体における上側部分、前側部分及び後方部分を柔軟性のあるプラスチックシートカバーで覆い、
前記プラスチックシートカバーは、前記電装品組立体における上側部分にねじ止めされ、かつ前記電装品組立体における前側部分及び後方部分において上側から下方へと垂れ下がっていることを特徴とする電装品収納装置。
【請求項２】
請求項１記載の建設機械の電装品収納装置において、
前記電装品組立体はその前側部分に、前記正面プレートの正面側に取り付けられたヒューズボックスを含む複数の電装品を備え、前記プラスチックシートカバーの少なくとも前記ヒューズボックスを覆うカバー部分を開閉可能としたことを特徴とする電装品収納装置。
【発明の詳細な説明】
【技術分野】
【０００１】
本発明は油圧ショベル等の建設機械の電装品収納装置に関する。
【背景技術】
【０００２】
油圧ショベル等の建設機械は、近年、電子化が進んでおり、その電子化に伴いコントローラ、ヒューズボックス、リレー、ハーネス等の電装品が増える傾向にある。このような建設機械では、電装品の収納場所が課題の１つとなっている。特にミニショベルのような小さな建設機械では、オペレータの居住性を良好にするために、機械スペースを有効に使い、オペレータスペースを確保する必要がある。
【０００３】
特開２０００−９６６０９号公報には、そのような建設機械における電装品の収納場所として、運転席のシートを支えるシートベースに収納ボックスを設け、この収納ボックスに電装品を収納することが提案されている。この場合、収納ボックスの開口部はカバーで閉じられ、ボルト止めされる。
【０００４】
【特許文献１】特開２０００−９６６０９号公報
【発明の開示】
【発明が解決しようとする課題】
【０００５】
電装品の装備に際しては防水対策を考慮する必要がある。また、ヒューズボックスや機械的な構成部を持つリレー等についてはメンテナンスを行う必要があり、メンテナンス性の向上も課題の１つである。
【０００６】
比較的防水性に優れ、メンテナンスのし易い場所としてシートベース部分があり、特開２０００−９６６０９号公報に記載のようにシートベースに収納ボックスを設け、この収納ボックスに電装品を収納することにより、カバーの開閉部にシーリングを行うことで、通常の雨水やホースによる洗車等であれば十分に防水機能を果たすことが可能である。
【０００７】
しかしながら、近年、レンタル比率の増加により、車体を高圧のジェット洗浄により洗浄を行うケースが増えてきている。このような高圧洗車が行われると、カバーの開閉部にシーリングを施しても、開閉部の小さな隙間から水滴が侵入し、この水滴がシートベース内部で跳ね回り、電装品を短絡させたり、錆び付かせたりする可能性がある。
【０００８】
開閉部の隙間から侵入した水滴から電装品を保護するためには、電装品を防水性のある密閉容器内に収納することが考えられる。しかし、その場合はコスト高となるばかりでなく、収納状態での電装品の点検（特にヒューズボックスの点検）が容易に行えなくなるという問題がある。
【０００９】
本発明の目的は、電装品の防水性に優れ、かつ安価であり、更に収納状態での電装品の点検性にも優れた建設機械の電装品収納装置を提供することである。
【課題を解決するための手段】
【００１０】
（１）上記目的を達成するために、本発明は、フロアパネル部分と、このフロアパネル部分上に位置し、運転席シートを支えるシートベースとを備えた建設機械の電装品収納装置において、前記シートベースは、前記運転席シートを支える水平パネル部分と、この水平パネル部分の下側に位置する垂直パネル部分及び左右のサイドパネル部分とを有し、前記シートベースは、前記水平パネル部分の下側に、上下、左右、及び背面をそれぞれ前記水平パネル部分、前記フロアパネル部分、前記左右のサイドパネル部分、及び前記垂直パネル部分で取り囲まれるとともに、正面側に前面開口部を有する収納スペースを形成しており、前記収納スペースに電装品組立体を配置し、前記電装品組立体は、正面プレート及びサイドプレートを有する取り付けブラケットと、この取り付けブラケットの正面プレートの正面側と裏面側に取り付けた各種の電装品とで構成され、かつ前記電装品組立体は、前記各種電装品を取り付けた正面プレートの裏面側が前記垂直パネル部分に対向して、縦型に配置されるように、前記サイドプレートを前記垂直パネル部分に固定することにより、前記シートベースに取り付けられており、前記収納スペースの前面開口部に開閉カバーを設け、前記電装品組立体における上側部分、前側部分及び後方部分を柔軟性のあるプラスチックシートカバーで覆い、前記プラスチックシートカバーは、前記電装品組立体における上側部分にねじ止めされ、かつ前記電装品組立体における前側部分及び後方部分において上側から下方へと垂れ下がっているものとする。
【００１１】
このように構成した本発明では、電装品組立体がシートベースの収納スペースに収納されている状態では、収納スペースが開閉カバーで閉塞されるだけでなく、電装品組立体がプラスチックシートカバーで覆われているため、車体を高圧のジェット洗浄により洗浄したときに開閉カバーの開閉部における僅かの隙間から水滴が侵入したとしても、その水滴はプラスチックシートカバーで遮られるため、侵入した水滴が電装品を短絡させたり、錆び付かせたりすることはない。また、開閉カバーを含めた収納スペースを設ける以外は電装品組立体をプラスチックシートカバーで覆っただけの構造なので極めて安価である。
【００１２】
また、収納状態で電装品組立体の電装品の点検を行うときは、開閉カバーを開け、更にプラスチックシートカバーの前側部分を引き出して上方に上げるだけで、電装品を点検することができるので、収納状態での点検性にも優れている。
【００１５】
（２）更に、上記（１）において、好ましくは、前記電装品組立体はその前側部分に、前記正面プレートの正面側に取り付けられたヒューズボックスを含む複数の電装品を備え、前記プラスチックシートカバーの少なくとも前記ヒューズボックスを覆うカバー部分を開閉可能とする。
【００１６】
これにより収納状態でヒューズボックスの点検を容易に行うことができる。
【発明の効果】
【００１７】
本発明によれば、電装品の防水性に優れ、かつ安価であり、更に収納状態での電装品の点検性にも優れた電装品収納装置を提供することができる。
【発明を実施するための最良の形態】
【００１８】
以下、本発明の実施の形態を図面を用いて説明する。
【００１９】
図１は、本発明の一実施形態である電装品収納装置を備えた建設機械の一例であるスイング式油圧ショベルの外観を示す図である。
【００２０】
図１において、油圧ショベルは、下部走行体１０１、この下部走行体１０１上に旋回可能に搭載された上部旋回体１０２と、この上部旋回体１０２の先端部分にスイングポスト１０３を介して上下及び左右方向に回動可能に連結されたフロント作業機１０４とを備えている。下部走行体１０１はクローラ式であり、トラックフレーム１０５の前方側には上下動可能に排土用のブレード１０６が設けられている。上部旋回体１０２は旋回フレームからなる旋回台１０７と、旋回台１０７の後部に位置しエンジン等を収納する機械室を形成する後部カバー１０８と、旋回台１０７上の後部カバー１０８の前側に位置する運転席ユニット１０９と、運転席ユニット１０９の上方をひさし状に覆うキャノピ１１０とを備えている。
【００２１】
図２は運転席ユニット１０９の拡大詳細図であり、図３は運転席ユニット１０９から運転席シート等の上物部分を取り除いたベース部分を示す図である。
【００２２】
図２および図３において、運転席ユニット１０９は、複数の鋼板を溶接して組み立てたフロアパネル構造体１と、フロントシートベース２、運転席シート３、左右の電気レバーユニット４，５、サイドコンソールボックス６、フロントコンソールボックス７等の上物部分とから構成されている。
【００２３】
フロアパネル構造体１は、フロアパネル部分１１と、このフロアパネル部分１１の後縁部より立ち上がるリヤパネル部分１２とから構成されている。フロアパネル部分１１は旋回台１０７（図１）の旋回フレームにボルト止めされ、運転席の床部分を構成している。リヤパネル部分１２は後部カバー１０８（図１）にねじ止めされ、後部カバー１０８とともに機械室を形成している。
【００２４】
リヤパネル部分１２は、大きく分けて、リヤシートベース部分１３とそれ以外の部分１４からなり、リヤシートベース部分１３はフロアパネル部分１１の後縁部から直角に立ち上がる垂直パネル部分１３ａと、垂直パネル部分１３ａの上端部から直角に曲がり、後方に延びる水平パネル部分１３ｂと、水平パネル部分１３ｂの後端部から斜め上方に延びる傾斜パネル部分１３ｃとを有している。
【００２５】
フロントシートベース２は、左右のサイドパネル部分２ａ，２ｂと、サイドパネル部分２ａ，２ｂの上端部を接続する水平パネル部分２ｃとからなり、図示右側のサイドパネル部分２ａはフロアパネル部分１１まで延び、その下端でフロアパネル部分１１にねじ止めされ、図示左側のサイドパネル部分２ｂはフロアパネル部分１１に至る途中で終端し、リヤシートベース部分１３の垂直パネル部分１３ｂにねじ止めされている。
【００２６】
フロントシートベース２とリヤシートベース部分１３はそれらの水平パネル部分２ｃ，１３ｂが面一となるように組み合わされており、両者一体となって運転席シート１を支えるシートベース１５を構成している。
【００２７】
運転席シート３は座部３ａ及び背部３ｂからなり、座部３ａは水平パネル部分２ｃ，１３ｂ上に取り付けられる。電気レバーユニット４，５は座部３ａを挟んでその両側に位置し、サイドコンソールボックス６は図示左側の電気レバーユニット５の更に外側であってその少し後方に位置し、フロントコンソールボックス７は、リヤパネル部分１２の立ち上がり部分におけるフロントシートベース２の図示左側の開口部を覆うようにフロアパネル部分１１上に取り付けられている。運転席の床部分にはゴムシート１６が敷かれている。
【００２８】
以上のように構成したフロアパネル構造体１のシートベース１５部分に本発明の電装品収納装置が備えられている。以下にその構成の詳細を説明する。
【００２９】
シートベース１５は、フロントシートベース２の水平パネル部分２ｃ及びサイドパネル部分２ａ，２ｂとリヤシートベース部分１３の垂直パネル部分１３ａとで取り囲まれた部分に、前面開口部を有する収納スペースを形成している。
【００３０】
フロントシートベース２のサイドパネル部分２ａ，２ｂの前縁下端部分には図２に示すようにサイドビーム２１が張り渡されており、このサイドビーム２１に蝶板２２ａ，２２ｂを介して扉形式の開閉カバー１７の下縁部分が取り付けられ、収納スペースの前面開口部はこの扉形式の開閉カバー１７で閉塞されている。開閉カバー１７の上方中央部には開閉カバー１７を閉塞位置に保持するための保持金具２３が取り付けられている。
【００３１】
図４は、運転席ユニットの開閉カバー１７を開けた状態を示す図である。収納スペースには電装品組立体３０が設置されており、この電装品組立体３０は柔軟性のあるプラスチックシートカバー３７で覆われている。また、開閉カバー１７の裏面上方中央部には保持金具２３の雄ネジ部２３ａが突出し、フロントシートベース２の水平パネル部分２ｃの前縁中央部より垂下する保持金具２４に保持金具２３の雄ネジ部２３ａが係合するねじ穴が設けられ、この保持金具２３の雄ネジ部２３ａを保持金具２４のねじ穴と係合させることにより開閉カバー１７を図２に示すように閉塞位置に保持し、保持金具２３を手動操作してそれらの係合を外すことにより開閉カバー１７を図４に示す如く開けることができる。
【００３２】
図５は、シートベース１５の収納スペースに配置される電装品組立体３０の詳細を示す図である。電装品組立体３０はＬ字形の取り付けブラケット３１を有し、この取り付けブラケット３１の正面プレート３１ａ上にメインコントローラ３２、サブコントローラ３３、ヒューズボックス３４、リレー３５等の電装品が取り付けられている。取り付けブラケット３１のサイドプレート３１ｂの基縁部と正面プレート３１ａの側縁部には取り付けフランジ３１ｃ，３１ｄが設けられ、取り付け部３１ｃをリヤシートベース部分１３の垂直パネル部分１３ａにねじ止めし、取り付け部３１ｄをフロントシートベース２のサイドパネル部分２ｂにねじ止めすることにより、取り付けブラケット３１はシートベース１５に着脱自在に取り付けられている。メインコントローラ３２、サブコントローラ３３、ヒューズボックス３４、リレー３５等の電装品には図示しないハーネスや配線等が接続されている。これらハーネスや配線は、図３に示すサイドパネル部分２ｂの下端とフロアパネル部分１１との間の空間を介して外部へと引き回される。
【００３３】
図６は、シートベース１５の収納スペース内において、電装品組立体３０がプラスチックシートカバー３７で覆われている状態を示す図であり、図７は電装品組立体３０を配置した収納スペース部分の縦断面斜視図であり、図８は、図４に示す状態からプラスチックシートカバー３７の前側部分を引き出して上方に上げた状態を示す図である。
【００３４】
電装品組立体３０を覆う柔軟性のあるプラスチックシートカバー３７は、電装品組立体３０の左右方向の幅（正面プレート３１の長さ）よりも少し長めの概ね長方形をした、好ましくは透明又は半透明の塩化ビニールフィルム等からなるプラスチックシートを電装品組立体３０の上側から前側と後側を覆うように装着したものであり、その上側中央部分は電装品組立体３０の上側部分を覆い、前側部分は電装品組立体３０の前面部分を覆うようにその上側から前側下方へと垂れ下がり、後方部分は電装組立体３０の上側から背面側下方へと垂れ下がっている。プラスチックシートの中央部分は２つのビス３８ａ，３８ｂにより電装品組立体３０の上側部分、例えばメインコントローラ３２の頂部にねじ止めされている。プラスチックシートの前側部分は、電装品組立体３０のヒューズボックス３４、リレー３５等、取り付けブラケット３１の正面側に装着した電装品を覆っている。このプラスチックシートの前側部分は、ヒューズボックス３４、リレー３５の被覆をより完全にするため、図６の図示右側の側縁部分が取り付けブラケット３１のサイドプレート３１ｂより外側に突出するよう他の部分より幅広となっている。また、プラスチックシートの前側部分は、サイドビーム２１の後側から引き出して図８に示すように上方に上げ抜き出すことで、開閉可能である。
【００３５】
なお、取り付けブラケット３１の正面プレート３１ａの適所（例えば正面プレート３１ａの左右下側）に小孔３９ａ（図８参照）を開け、この小孔３９ａに挿入可能なゴム或いは軟質プラスチック製の留め具３９ｂ（図４参照）を用い、プラスチックシートの上側からその留め具３９ｂを小孔３９ａに嵌め込むことで、プラスチックシートの前側部分を正面プレート３１ａに簡易的に止めてもよい。
【００３６】
電装品組立体３０の取り付けは次のような順序で行う。まず、図５に示すような電装品組立体３０を組み上げた後、この電装品組立体３０に図６に示すようにプラスチックシートカバー３７で包み込み、その上側中央部分をビス３８ａ，３８ｂによりメインコントローラ３２の上端面に固定する。次いで、このプラスチックシートカバー付きの電装品組立体３０をシートベース１５の収納スペースに入れ、サイドプレート３１ｂの取り付けフランジ３１ｃと正面プレート３１ａの取り付けフランジ３１ｄをリヤシートベース部分１３の垂直パネル部分とフロントシートベース２のサイドパネル部分２ｂにねじ止めすることで、電装品組立体３０をシートベース１５に取り付ける。このとき、プラスチックシートカバー３７の前側下方部分は、図７に示すように開閉カバー１７を取り付けるサイドビーム２１の後側に回してその下方に落とし込む。次いで、開閉カバー１７を閉じ、保持金具２３を操作して開閉カバー１７を閉塞位置に保持する。
【００３７】
電装品組立体３０のメインコントローラ３２等のメンテナンス時は、上記と逆の順序で電装品組立体３０をシートベース１５の収納スペースから取り出し、プラスチックシートカバー３７を外せばよい。
【００３８】
また、ヒューズボックス３４、リレー３５等、取り付けブラケット３１の正面側に装着した電装品の点検を行う場合は、開閉カバー１７を開け、簡易的な留め具３９ａを用いた場合は留め具３９ａを引き抜き、図８に示すようにプラスチックシートカバー３７の前側部分をサイドビーム２１の後側から引き出して上方に上げ、運転席シート３の座部３ａ上に本などの適当なものを置いて保持することにより、容易にヒューズボックス３４、リレー３５等の点検を行うことができる。
【００３９】
以上のように構成した本実施の形態では、電装品組立体３０がシートベース１５の収納スペースに収納されている状態では、収納スペースが開閉カバー１７で閉塞されているだけでなく、電装品組立体３０がプラスチックシートカバー３７で覆われているため、車体を高圧のジェット洗浄により洗浄したときに開閉カバー１７の開閉部における僅かの隙間から水滴が侵入したとしても、この水滴はプラスチックシートカバー３７で遮られて電装品組立体３０にまで到達しない。このため侵入した水滴が電装品を短絡させたり、錆び付かせたりすることはない。特に、簡易的な留め具３９ａを用いた場合は、防水性能が良好となる。
【００４０】
また、開閉カバー１７を含めた収納スペースを設ける以外は電装品組立体３０をプラスチックシートカバー３７で覆っただけの構造なので、極めて安価である。
【００４１】
更に、電装品組立体３０のヒューズボックス３４、リレー３５等、取り付けブラケット３１の正面に装着した電装品の点検を行う場合は、図４に示すように開閉カバー１７を開け、簡易的な留め具３９ａを用いた場合は留め具３９ａを引き抜き、図８に示すようにプラスチックシートカバー３７の前側部分をサイドビーム２１の後側から引き出して上方に上げれば、電装品組立体３０の正面に装着した電装品にアクセスできるので、収納状態でそれらの点検を簡単に行うことができる。
【図面の簡単な説明】
【００４２】
【図１】本発明の一実施形態である電装品収納装置を備えた建設機械の一例であるスイング式油圧ショベルの外観を示す図である。
【図２】運転席ユニット部分の拡大詳細図である。
【図３】運転席ユニットから運転席シート等の上物部分を取り除いたベース部分を示す図である。
【図４】運転席ユニットの開閉カバーを開けた状態を示す図である。
【図５】電装品組立体の詳細を示す図である。
【図６】シートベースの収納スペース内において、電装品組立体がプラスチックカバーで覆われている状態を示す図でありる。
【図７】電装品組立体の配置状態とプラスチックシートカバーの取り付け状態を示す収納スペース部分の縦断面図である。
【図８】図４の状態からプラスチックシートカバーの前面部分を抜き出して開けた状態を示す図である。
【符号の説明】
【００４３】
１  フロアパネル構造体
２  フロントシートベース
２ａ，２ｂ  左右のサイドパネル部分
２ｃ  水平パネル部分
３  運転席シート
４，５  電気レバーユニット
６  サイドコンソールボックス
７  フロントコンソールボックス
１１  フロアパネル部分
１２  リヤパネル部分
１３  リヤシートベース部分
１３ａ  垂直パネル部分
１３ｂ  水平パネル部分
１３ｃ  傾斜パネル部分
１４  それ以外の部分
１５  シートベース
１７  開閉カバー
２１  サイドビーム
２２ａ，２２ｂ  蝶板
２３  保持金具
２３ａ  雄ネジ部
２４  保持金具
３０  電装品組立体
３１  Ｌ字形の取り付けブラケット３１
３１ａ  正面プレート
３１ｂ  サイドプレート
３１ｃ，３１ｄ  取り付けフランジ
３２  メインコントローラ
３３  サブコントローラ
３４  ヒューズボックス
３５  リレー
３７  プラスチックシートカバー
３８ａ，３８ｂ  ビス
３９ａ  小孔
３９ｂ  留め具
１０１  下部走行体
１０２  上部旋回体
１０３  スイングポスト
１０４  フロント作業機
１０５  トラックフレーム
１０６  ブレード
１０７  旋回台
１０８  後部カバー
１０９  運転席ユニット
１１０  キャノピ
【図１】
0004606975.tif 000002
【図２】
0004606975.tif 000003
【図３】
0004606975.tif 000004
【図４】
0004606975.tif 000005
【図５】
0004606975.tif 000006
【図６】
0004606975.tif 000007
【図７】
0004606975.tif 000008
【図８】
0004606975.tif 000009